(57)【要約】【課題】  簡易な構成で、速度変調コイルによる画像の輪郭強調効果を向上させ、且つ、速度変調コイルと偏向ヨークとの間でスパークの発生を抑制する。【解決手段】  電子銃から射出された電子ビームの水平偏向速度を変調するための一対のループコイルからなる速度変調コイル５２が樹脂枠４２に巻装されている。速度変調コイル５２の巻線は、樹脂枠４２の支持体４３に差し込まれた金属端子６０に結線されている。金属端子６０の支持体４３に差し込まれた部分は、陰極線管のスクリーン側に露出されていない。【選択図】  図３
2006324145.tif 000002
【特許請求の範囲】
【請求項１】
電子銃から射出された電子ビームの水平偏向速度を変調するための一対のループコイルからなる速度変調コイルと、前記一対のループコイルが巻装された樹脂枠と、前記樹脂枠の支持体に差し込まれて固定された金属端子とを含み、陰極線管のファンネルの外周面上に設けられる速度変調コイル装置であって、
前記速度変調コイルの巻線が前記金属端子に結線されており、
前記金属端子の前記支持体に差し込まれた部分が、前記陰極線管のスクリーン側に露出されていないことを特徴とする速度変調コイル装置。
【請求項２】
前記金属端子の前記支持体に差し込まれた部分を前記陰極線管のスクリーン側に露出させる開口が形成されないように、前記支持体は樹脂成形されている請求項１に記載の速度変調コイル装置。
【請求項３】
前記金属端子の前記支持体に差し込まれた部分を前記陰極線管のスクリーン側に露出させる開口が形成されるように前記支持体が樹脂成形された後、前記開口が絶縁性の材料で塞がれている請求項１に記載の速度変調コイル装置。
【請求項４】
前記金属端子は、直線状又はＬ字状である請求項１に記載の速度変調コイル装置。
【請求項５】
内面に蛍光体スクリーンが形成されたパネルと、前記パネルと接合されたファンネルと、前記ファンネルのネック部内に収納された電子銃とを有する陰極線管と、
前記ファンネルの外周面上に設けられ、前記電子銃から射出された電子ビームを水平方向及び垂直方向に偏向させ前記蛍光体スクリーン上を走査させる水平偏向コイル及び垂直偏向コイルを含む偏向ヨークと、
前記ファンネルの外周面上に設けられた速度変調コイル装置と
を含む陰極線管装置であって、
前記速度変調コイル装置が、請求項１〜４のいずれかに記載の速度変調コイル装置であることを特徴とする陰極線管装置。
【請求項６】
前記支持体に差し込まれずに露出された前記金属端子の部分と、前記金属端子から見通せる位置にあり、且つ前記金属端子に最も近い前記偏向ヨークの露出された導電体との間の直線距離Ｌが１２ｍｍ以上である請求項５に記載の陰極線管装置。
【請求項７】
前記速度変調コイル装置は、前記偏向ヨークに対して前記ネック部側に配置されている請求項５に記載の陰極線管装置。
【請求項８】
電子銃から射出された電子ビームの水平偏向速度を変調するための一対のループコイルからなる速度変調コイルと、前記一対のループコイルが巻装された樹脂枠と、前記樹脂枠の支持体に差し込まれて固定された金属端子とを含み、陰極線管のファンネルの外周面上に設けられる速度変調コイル装置であって、
前記速度変調コイルの巻線が前記金属端子に結線されており、
前記金属端子の前記支持体に差し込まれた部分を前記陰極線管のスクリーン側に露出させる開口が前記支持体に形成されており、
前記樹脂枠には前記開口に対向する遮蔽板が設けられていることを特徴とする速度変調コイル装置。
【請求項９】
前記遮蔽板は絶縁性の材料からなる請求項８に記載の速度変調コイル装置。
【請求項１０】
内面に蛍光体スクリーンが形成されたパネルと、前記パネルと接合されたファンネルと、前記ファンネルのネック部内に収納された電子銃とを有する陰極線管と、
前記ファンネルの外周面上に設けられ、前記電子銃から射出された電子ビームを水平方向及び垂直方向に偏向させ前記蛍光体スクリーン上を走査させる水平偏向コイル及び垂直偏向コイルを含む偏向ヨークと、
前記ファンネルの外周面上に設けられた速度変調コイル装置と
を含む陰極線管装置であって、
前記速度変調コイル装置が、請求項８又は９に記載の速度変調コイル装置であることを特徴とする陰極線管装置。
【請求項１１】
前記開口内に露出された前記金属端子から、前記金属端子に最も近い前記偏向ヨークの露出された導電体を見通せないように、前記遮蔽板が配置されている請求項１０に記載の陰極線管装置。
【請求項１２】
前記速度変調コイル装置は、前記偏向ヨークに対して前記ネック部側に配置されている請求項１０に記載の陰極線管装置。
【発明の詳細な説明】
【技術分野】
【０００１】
本発明は、テレビ受像機やコンピュータディスプレイなどに用いられる陰極線管装置に関する。また、本発明は、この陰極線管装置に搭載される速度変調コイル装置に関する。
【背景技術】
【０００２】
例えばテレビ受像機における高画質化を実現する一つの方法として画像の輪郭を強調する方法が知られている。この輪郭強調を行なうために速度変調コイルが用いられる。速度変調コイルは、陰極線管のネック部またはその近傍に備えられ、垂直方向の磁界を発生して電子ビームの水平走査速度を変調することにより画像の輪郭強調を行なう（例えば、特許文献１，２参照）。
【０００３】
ところで、カラー陰極線管装置においては、近年の大画面化による蛍光体スクリーン上における電子ビームスポット径の増大、高輝度化による陽極電圧の上昇、あるいは、前面パネルのフラット化に伴って、画像の輪郭強調のための前記磁界に一層強い強度が要求されている。
【０００４】
この要求に対して、速度変調コイルに流す電流量を増大させたり、速度変調コイルの巻数を増やしたりすることなく、電子ビームに作用する前記磁界の強度を向上させることができるカラー陰極線管装置が考案されている。
【０００５】
例えば、特許文献２に記載のカラー陰極線管装置においては、ネック部内に収納された電子銃の第５グリッド（Ｇ５電極）に設けられたＲ、Ｇ、Ｂの各電子ビームの通過孔の上下に一対の磁性体を配すると共に、当該Ｇ５電極に対応するネック部の外周面上の位置に一対のループコイルからなる速度変調コイルを設けている。これにより、速度変調コイルが発した磁束を一対の磁性体によって集束して、電子ビームの通過領域に当該磁束を集中させることができるので、電子ビームの速度変調に寄与する磁界の強度を向上させることができる。
【０００６】
しかしながら、上記した特許文献１に記載のカラー陰極線管装置では、速度変調コイルと水平偏向コイル及び垂直偏向コイルを含む偏向ヨークとが、管軸方向において互いに重複する位置に配置されるため、速度変調コイルが発する磁界と、偏向ヨークが発する偏向磁界とが干渉し合って、いわゆるリンギングと呼ばれる画質の悪化を招く。
【０００７】
また、上記した特許文献２に記載のカラー陰極線管装置では、金属部品である電極（Ｇ５電極）表面に発生する渦電流による損失のため、Ｇ５電極の電子ビーム通過孔内の磁界の強度は低い。従って、このようなＧ５電極に磁性体を取り付け、元来弱い磁束を集束させたところで、磁界強度の向上効果はあまり期待できない。即ち、特許文献２では、速度変調の感度（速度変調コイルへの入力電流に対する電子ビームの速度変調量）を十分に向上させることはできない。また、ネック部内の電子銃を構成するＧ５電極に磁性体を配置するため、部品組み立て工数が増えコスト高となる。
【０００８】
そこで、容易且つ安価に画像の輪郭強調効果を向上させるために、一般に、速度変調コイルを、上記のリンギングが生じない範囲で偏向ヨークに近づけて配置される。
【０００９】
例えば、特許文献３，４には、速度変調コイルの先端が結線される金属端子を保持する端子取付け部を、管軸方向において速度変調コイルと重複する位置に配置した速度変調コイル装置が開示されている。
【００１０】
ところが、速度変調コイルが偏向ヨークに近づくと、速度変調コイルと偏向ヨークとの間でしばしばスパークが発生する。
【００１１】
スパークはテレビ受像機等の電源スイッチのＯＮ／ＯＦＦ時に起きる場合が多く、スパークの発生により速度変調コイルが接続されるテレビ受像機の速度変調回路を壊してしまうことがある。
【００１２】
速度変調コイルに使われる導線として絶縁皮膜導体を使用することが一般的であるが、速度変調コイルが結線される金属端子では導電体が露出されているので、スパークが特に発生し易い。
【００１３】
一般に、この金属端子は、樹脂製の端子取付け部に設けられた穴に差し込まれることにより、端子取付け部に融着固定される。金属端子の差込作業性を良くし、且つ、差込時及び速度変調コイルを結線するための半田付け時の放熱性を良くするために、端子取付け部には、金属端子が差し込まれる穴と交差する開口が設けられている。金属端子が端子取付け部に設けられた穴に差し込まれると、この開口を介して金属端子が露出する。この開口内に露出された金属端子からスパークが発生する場合がある。
【００１４】
特許文献５には、速度変調コイルが結線される金属端子を保持する端子取付け部を、速度変調コイルに対して後側（偏向ヨークとは反対側）に配置した速度変調コイル装置が開示されている。
【００１５】
この速度変調コイル装置によれば、速度変調コイルを偏向ヨークに近づけて配置することができるので、輪郭強調効果を向上させることができる。しかも、金属端子を偏向ヨークから遠ざけて配置することができるので、金属端子と偏向ヨークとの間でスパークの発生を防止できる。
【特許文献１】実公昭５７−４５６５０号公報
【特許文献２】特開平６−２８３１１３号公報
【特許文献３】実公平７−２２８４４号公報
【特許文献４】特開２００４−２２０７８９号公報
【特許文献５】特開平９−１８２０９８号公報
【発明の開示】
【発明が解決しようとする課題】
【００１６】
従来より、一般に、速度変調コイルは、ピュリティー調整用の２極磁石、４極磁石、６極磁石を含むＣＰＵ（Ｃonvergence and Ｐurity Ｕnit）に一体的に取り付けられる。即ち、上記端子取付け部を一端に備えた円筒状部材に速度変調コイルを巻き付け、円筒状部材の他端から、いずれも円環状である２極磁石、４極磁石、６極磁石が外挿される。その後、内周面に雌ねじが形成されたロックリングを円筒状部材に形成された雄ねじにねじ込んで、２極磁石、４極磁石、６極磁石を端子取付け部とロックリングとの間に挟んで固定する。
【００１７】
この速度変調コイル一体型ＣＰＵを、特許文献５に記載されたように、端子取付け部を速度変調コイルに対して後側にして陰極線管に搭載すると、ロックリング側が蛍光体スクリーン側に位置することになる。この場合、ロックリングの締め付けしろ等を考慮すると、速度変調コイル一体型ＣＰＵを上記と逆向きに搭載した場合に比べて、２極磁石、４極磁石、６極磁石を管軸方向において後側に移動せざるを得ず、そのためにカラー陰極線管のフォーカス特性、ピュリティー調整、スタティックコンバーゼンス調整に悪影響を与える可能性がある。
【００１８】
本発明は、従来の上記の課題を解決し、簡易な構成で、速度変調コイルによる画像の輪郭強調効果を向上させることができ、且つ、速度変調コイルと偏向ヨークとの間でスパークの発生を抑制することを目的とする。
【課題を解決するための手段】
【００１９】
本発明の速度変調コイル装置は、電子銃から射出された電子ビームの水平偏向速度を変調するための一対のループコイルからなる速度変調コイルと、前記一対のループコイルが巻装された樹脂枠と、前記樹脂枠の支持体に差し込まれて固定された金属端子とを含み、陰極線管のファンネルの外周面上に設けられる。前記速度変調コイルの巻線が前記金属端子に結線されている。
【００２０】
本発明の第１の速度変調コイル装置では、前記金属端子の前記支持体に差し込まれた部分が、前記陰極線管のスクリーン側に露出されていないことを特徴とする。
【００２１】
本発明の第２の速度変調コイル装置では、前記金属端子の前記支持体に差し込まれた部分を前記陰極線管のスクリーン側に露出させる開口が前記支持体に形成されており、前記樹脂枠には前記開口に対向する遮蔽板が設けられていることを特徴とする。
【００２２】
本発明の陰極線管装置は、内面に蛍光体スクリーンが形成されたパネルと、前記パネルと接合されたファンネルと、前記ファンネルのネック部内に収納された電子銃とを有する陰極線管と、前記ファンネルの外周面上に設けられ、前記電子銃から射出された電子ビームを水平方向及び垂直方向に偏向させ前記蛍光体スクリーン上を走査させる水平偏向コイル及び垂直偏向コイルを含む偏向ヨークと、前記ファンネルの外周面上に設けられた速度変調コイル装置とを含む。そして、前記速度変調コイル装置が、本発明の上記第１又は第２の速度変調コイル装置であることを特徴とする。
【発明の効果】
【００２３】
本発明によれば、速度変調コイルと偏向ヨークとの間でスパークの発生を抑制することが出来る。従って、速度変調コイルの配置位置を偏向ヨークに近づけることができるので、駆動電力を増大させることなく、速度変調磁界による画像の輪郭強調効果を向上させることができ、その結果、画質を向上させることが出来る。
【発明を実施するための最良の形態】
【００２４】
上記の本発明の第１の速度変調コイル装置において、前記金属端子の前記支持体に差し込まれた部分を前記陰極線管のスクリーン側に露出させる開口が形成されないように、前記支持体は樹脂成形されていることが好ましい。これにより、開口を塞ぐ工程が不要となり、製造工数を削減できる。
【００２５】
あるいは、上記の本発明の第１の速度変調コイル装置において、前記金属端子の前記支持体に差し込まれた部分を前記陰極線管のスクリーン側に露出させる開口が形成されるように前記支持体が樹脂成形された後、前記開口が絶縁性の材料で塞がれていても良い。これにより、支持体の放熱性が向上するので、加熱した金属端子を支持体へ差し込んで熱融着する際、及び速度変調コイルの巻線を金属端子へ半田付けする際の作業性が向上する。
【００２６】
本発明の第１の速度変調コイル装置において、前記金属端子は、直線状又はＬ字状であることが好ましい。
【００２７】
本発明の第１の速度変調コイル装置を搭載した陰極線管装置において、前記支持体に差し込まれずに露出された前記金属端子の部分と、前記金属端子から見通せる位置にあり、且つ前記金属端子に最も近い前記偏向ヨークの露出された導電体との間の直線距離Ｌが１２ｍｍ以上であることが好ましい。これにより、金属端子と偏向ヨークとの間でのスパークの発生を更に低減することができる。
【００２８】
上記の本発明の第２の速度変調コイル装置において、前記遮蔽板は絶縁性の材料からなることが好ましい。これにより、金属端子と偏向ヨークとの間でのスパークの発生を更に低減することができる。
【００２９】
本発明の第２の速度変調コイル装置を搭載した陰極線管装置において、前記開口内に露出された前記金属端子から、前記金属端子に最も近い前記偏向ヨークの露出された導電体を見通せないように、前記遮蔽板が配置されていることが好ましい。これにより、金属端子と偏向ヨークとの間でのスパークの発生を更に低減することができる。
【００３０】
本発明の第１及び第２の速度変調コイル装置を搭載した陰極線管装置において、前記速度変調コイル装置は、前記偏向ヨークに対して前記ネック部側に配置されていることが好ましい。速度変調コイルが偏向ヨークと管軸方向において重複する位置に配置されていると、両者の磁束が相互に干渉してリンギングが発生し、その結果、画質が劣化したり、速度変調による画像の輪郭強調効果が低下したりするからである。
【００３１】
以下、本発明を図面を参照しながら説明する。
【００３２】
図１は本発明の一実施形態に係るカラー陰極線管装置１の概略構成を示す半断面図である。以下の説明の便宜のために、管軸をＺ軸、水平方向（スクリーンの長辺方向）軸をＸ軸、垂直方向（スクリーンの短辺方向）軸をＹ軸とする。Ｘ軸とＹ軸とはＺ軸上にて直交する。図１では、Ｚ軸より上側に断面図を、下側に外観図をそれぞれ示している。
【００３３】
図１に示すように、カラー陰極線管装置１は、カラー陰極線管１０、偏向ヨーク３０、ＣＰＵ４０、および速度変調コイル５２等から成る。
【００３４】
カラー陰極線管１０は、フェースパネル１１とファンネル１２とが接合されてなるガラスバルブと、この内部に収納されたシャドウマスク１５及びインライン型電子銃（以下、単に「電子銃」と言う。）１６を備える。シャドウマスク１５は、フェースパネル１１の内面に固定されており、電子銃１６はファンネル１２のネック部１３内に保持されている。
【００３５】
フェースパネル１１の内面には、赤、緑、青の各蛍光体ドット（又は蛍光体ストライプ）が規則正しく配列されてなる蛍光体スクリーン１４が形成されている。シャドウマスク１５は蛍光体スクリーン１４に対して略一定間隔だけ離間して設けられている。シャドウマスク１５には電子ビーム通過孔が多数設けられている。電子銃１６から射出される３本の電子ビーム１８（３本の電子ビームはＸ軸と平行な一直線上に配列されるため、図では手前の１本の電子ビームのみが示されている。）は、シャドウマスク１５に設けられた電子ビーム通過孔を通過して所望する蛍光体を照射する。
【００３６】
偏向ヨーク３０は、ファンネル１２の外周面上に設けられている。偏向ヨーク３０はサドル型の水平偏向コイル３２とトロイダル型の垂直偏向コイル３４とを備えており、垂直偏向コイル３４はフェライトコア３６に巻回されている。電子銃１６から射出された３本の電子ビーム１８は、水平偏向コイル３２が発する水平偏向磁界及び垂直偏向コイル３４が発する垂直偏向磁界により水平方向及び垂直方向に偏向され、蛍光体スクリーン１４上をラスタースキャン方式で走査する。水平偏向コイル３２と垂直偏向コイル３４との間には、樹脂材料からなる絶縁枠３８が設けられている。絶縁枠３８は、水平偏向コイル３２と垂直偏向コイル３４との間の電気的な絶縁状態を維持すると共に、両偏向コイル３２，３４を支持する役割を果たしている。
【００３７】
ＣＰＵ４０は、ネック部１３の外周面上に、電子銃１６と管軸方向において重複する位置に設けられており、電子ビーム１８の静コンバーゼンス調整およびピュリティー（色純化）調整を行なう。ＣＰＵ４０は、樹脂枠４２の円筒部４２ａに取り付けられたピュリティー（色純化）磁石４４、４極磁石４６、及び６極磁石４８を備える。ピュリティー磁石４４、４極磁石４６、及び６極磁石４８は、いずれも円環状をした２枚の磁石１組で構成されている。
【００３８】
図２（Ａ）は本発明の一実施形態に係る速度調整コイル５２の概略斜視図、図２（Ｂ）は速度変調コイル５２を構成するループコイル５２ａ，５２ｂの展開図である。
【００３９】
速度変調コイル５２は、管軸を含む水平方向面（ＸＺ面）を挟んで配置された一対のループコイル５２ａ，５２ｂからなる。ループコイル５２ａ，５２ｂは、Ｚ軸に対してほぼ対称位置に、樹脂枠４２の円筒部４２ａの外周面上に取付けられている。すなわち、一対のループコイル５２ａ，５２ｂは、ＣＰＵ４０に一体的に取付けられている。一対のループコイル５２ａ，５２ｂには、映像信号を微分して得られる速度変調信号に応じた電流が通電される。
【００４０】
図２（Ｂ）に示すように、平面展開状態において、ループコイル５２ａ，５２ｂは何れも略方形である。このループコイルを構成する４辺のうち、対向する一対の辺（直線部）５３ａはＺ軸と略平行に配置され、残りの対向する一対の辺（湾曲部）５３ｂは樹脂枠４２の円筒部４２ａの外周面の曲率に沿って略円弧状に湾曲されてＸＹ面にほぼ沿って配置される。
【００４１】
（実施の形態１）
図３（Ａ）は本発明の実施の形態１に係る樹脂枠４２及びこれに固定された金属端子６０の蛍光体スクリーン側から見た正面図、図３（Ｂ）は本発明の実施の形態１に係るＣＰＵ４０及び速度変調コイル５２の側面図、図３（Ｃ）は本発明の実施の形態１に係るＣＰＵ４０及び速度変調コイル５２のネック側から見た背面図である。図３（Ａ）ではピュリティー磁石、４極磁石、６極磁石は省略してある。
【００４２】
図４は、本発明の実施の形態１に係るカラー陰極線管装置のネック部１３に搭載されたＣＰＵ４０及び速度変調コイル５２付近の拡大側面図である。
【００４３】
樹脂枠４２の円筒部４２ａの一端に、ＸＹ面と略平行な端子取付け板４２ｂが設けられ、端子取付け板４２ｂの支持体４３に一対の棒状の金属端子６０がＹ軸と略平行に固定されている。
【００４４】
樹脂枠４２の円筒部４２ａに、速度変調コイル５２が巻装される。図２に示した、ループコイル５２ａとループコイル５２ｂとは直列に接続され、これらの両端は一対の金属端子６０に結線される。この一対の金属端子６０はリード線等（図示せず）を介してカラー受像機等の速度変調回路（図示せず）に接続される。
【００４５】
円筒部４２ａに、ピュリティー磁石４４、４極磁石４６、極磁石４８、及び、管軸方向の弾性力を付与する弾性リング４７が順に外挿され、内周面に雌ねじが形成されたロックリング４９が円筒部４２ａに形成された雄ねじにねじ込まれる。これにより、ピュリティー磁石４４、４極磁石４６、極磁石４８、及び、弾性リング４７が、端子取付け板４２ｂとロックリング４９との間に挟持固定される。
【００４６】
速度変調コイル５２及びＣＰＵ４０が搭載された樹脂枠４２は、端子取付板４２ｂ側を偏向ヨーク３０に対向させてカラー陰極線管１０のネック部１３に外挿される。そして、円筒部４２ａの端子取付け板４２ｂとは反対側端にて、金属製の略Ω字状の固定治具４１ａと、固定治具４１ａの両端を締め付ける金属製のボルト４１ｂとで、樹脂枠４２はネック部１３に固定される。
【００４７】
図５（Ａ）は従来の樹脂枠４２及びこれに固定された金属端子６０の蛍光体スクリーン側から見た正面図、図５（Ｂ）は従来のＣＰＵ４０及び速度変調コイル５２の側面図、図５（Ｃ）は従来のＣＰＵ４０及び速度変調コイル５２のネック側から見た背面図である。図５（Ａ）ではピュリティー磁石、４極磁石、６極磁石は省略してある。図５において、図３と同じ機能を有する部材については同一の符号を付している。
【００４８】
図３〜図５を用いて、本実施の形態の金属端子６０及び支持体４３周辺の構成及び効果を以下に説明する。
【００４９】
金属端子６０は、加熱した金属端子６０を樹脂製の支持体４３に設けられた穴に差し込むことにより、支持体４３に融着固定される。金属端子６０の差込作業性を良くし、且つ、差込時及び速度変調コイル５２の巻線を金属端子６０へ結線するための半田付け時の放熱性を良くするために、支持体４３に、金属端子６０が差し込まれる穴と交差する開口５４が設けられている。
【００５０】
従来、開口５４は、金型の構造上、支持体４３のＺ軸と直交する両面、又は偏向ヨーク３０側の面のみに形成されていた。
【００５１】
近年、特に高画質化が求められる場合、速度変調コイル５２による画像の輪郭強調効果を向上させるため、図４に示すようにＣＰＵ４０および速度変調コイル５２を偏向ヨーク３０に近づけて配置することが多い。その場合、速度変調コイル５２が偏向ヨーク３０に近づくことで、速度変調コイル５２と偏向ヨーク３０との間でしばしばスパークが発生する。スパークは、主にテレビ受像機等の電源スイッチのＯＮ／ＯＦＦ時に起きる場合が多く、スパークの発生により速度変調コイル５２が接続されるテレビ受像機の速度変調回路（図示せず）を壊してしまうことがある。
【００５２】
速度変調コイル５２と偏向ヨーク３０との間のスパークは、それぞれにおいて露出され、且つ互いに見通せる位置にある、直線距離（見通し距離）が最も短い導電体の箇所間で発生しやすい。偏向ヨーク３０側では、絶縁枠３８をファンネルに固定するための、金属製の略Ω字状の固定治具３９ａ、及び固定治具３９ａの両端を締め付ける金属製のボルト３９ｂが速度変調コイル５２に最も接近している。
【００５３】
一方、速度変調コイル５２側では、速度変調コイル５２の巻線は絶縁体層で覆われているので、巻線からスパークは発生しにくい。従って、露出された導電体で最も偏向ヨーク３０に接近しているのは金属端子６０であり、金属端子６０からスパークが発生し易い。
【００５４】
従来は、図５（Ａ）に示すように、金属端子６０の支持体４３に差し込まれた部分が、偏向ヨーク３０に対向して設けられた開口５４から露出されていた。従って、この開口５４を介して金属端子４３と固定治具４１ａ又はボルト３９ｂとの間でスパークが発生することがあった。
【００５５】
これに対して、本実施の形態では、開口５４は、図３（Ｃ）に示すように支持体４３のＣＰＵ４０側の面には形成されているが、図３（Ａ）に示すように支持体４３の偏向ヨーク３０側の面には形成されていない。従って、図４に示すように、支持体４３に差し込まれずに露出された金属端子６０の部分と、固定治具３９ａ又はボルト３９ｂとの間の直線距離Ｌを大きく確保することができる。
【００５６】
直線距離Ｌとスパークの発生との関係についての実験結果を示す。
【００５７】
支持体４３の偏向ヨーク３０側の面には開口５４が形成されないように樹脂成形された樹脂枠４２を用いた。速度変調コイル５２の巻線としてポリウレタン絶縁層で被覆された銅線を使用した。巻線は、ループコイル５２ａ，５２ｂの部分では絶縁層で被覆されているが、金属端子４３と結線される部分では絶縁層を除去した。従って、支持体４３に差し込まれずに露出された金属端子６０の部分と、この部分に結線された速度変調コイル５２の巻線の部分とは、導電体が露出された活電部となっていた。
【００５８】
以上の速度変調コイル５２が巻装された樹脂枠４２をカラー陰極線管のネック部１３に搭載しカラーテレビ受像機を作成した。樹脂枠４２と偏向ヨーク３０との距離を種々に変更することにより直線距離Ｌを種々に変更して、電源スイッチのＯＮ／ＯＦＦを３０回繰り返したときの金属端子４３と固定治具３９ａ又はボルト３９ｂとの間でのスパークの発生回数を数えた。実験は、画面有効サイズが３２インチ及び２９インチの２通りの陰極線管について行った。結果を図６に示す。
【００５９】
図６より、スパークが発生しないための直線距離Ｌは、バラツキなどを考慮して高度の安全性を確保するためには１２ｍｍ以上であることが好ましい。
【００６０】
支持体４３の偏向ヨーク３０側の面には開口５４が形成されていない本実施の形態（図３（Ａ）参照）では、支持体４３の偏向ヨーク３０側の面に開口５４が形成されている従来の構成（図５（Ａ）参照）に比べて、速度変調コイル５２と偏向ヨーク３０との間のＺ軸方向の距離が同一である場合には、直線距離Ｌは長くなる。即ち、本実施の形態では、従来の構成に比べて、同一の直線距離Ｌであれば、速度変調コイル５２を偏向ヨーク３０により近づけることができる。従って、本実施の形態によれば、速度変調コイル５２と偏向ヨーク３０との間でスパークの発生を抑制しながら、速度変調コイル５２による画像の輪郭強調効果を向上させることができる。
【００６１】
開口５４は、速度変調コイル５２が陰極線管に搭載されて通電動作が行われる段階で、支持体４３の偏向ヨーク３０側の面に形成されていなければよい。このためには、例えば、上記の実験のように、偏向ヨーク３０側の面に開口５４が形成されないように、支持体４３を樹脂成形すればよい。あるいは、支持体４３を樹脂成形する段階では、偏向ヨーク３０側の面に開口５４を形成しておき、金属端子６０を支持体４３に溶着固定し、更に、速度変調コイル５２の巻線を結線した後、絶縁性の材料で偏向ヨーク３０側の面に形成された開口５４を塞いでも良い。具体的には、絶縁テープ、絶縁平板などを粘着剤などを介して貼り付けることにより開口５４を塞ぐことができる。あるいは、絶縁性接着剤で開口５４を塞いでも良い。
【００６２】
上記の例では金属端子の形状は棒状（直線状）であったが、本発明はこれに限定されない。例えば、図７に示すように、支持体４３に差し込まれていない部分がＣＰＵ３０側（即ち、偏向ヨーク３０とは反対側）に折り曲げられたＬ字状の金属端子６２を用いることもできる。ＣＰＵ３０側に折り曲げられた部分に速度変調コイル５２の巻線が結線される。これにより、より大きな直線距離Ｌを確保することができ、スパークの発生をより抑制することができる。
【００６３】
また、大きな直線距離Ｌを確保するために、金属端子６０の取付位置をＺ軸から遠くすることも有効である。
【００６４】
（実施の形態２）
図８（Ａ）は本発明の実施の形態２に係る樹脂枠４２及びこれに固定された金属端子６０の蛍光体スクリーン側から見た正面図、図８（Ｂ）は本発明の実施の形態２に係るＣＰＵ４０及び速度変調コイル５２の側面図、図８（Ｃ）は本発明の実施の形態２に係るＣＰＵ４０及び速度変調コイル５２のネック側から見た背面図である。図８（Ａ）ではピュリティー磁石、４極磁石、６極磁石は省略してある。
【００６５】
図９は、本発明の実施の形態２に係るカラー陰極線管装置のネック部１３に搭載されたＣＰＵ４０及び速度変調コイル５２付近の拡大側面図である。
【００６６】
図８、図９において、実施の形態１で説明した図３、図４と同じ構成要素には同じ符号を付して、それらについての説明を省略する。
【００６７】
本実施の形態では、図５（Ｂ）及び図５（Ｃ）に示した従来の構成と同様に、支持体４３の偏向ヨーク３０側の面に開口５４が形成されている。これにより、支持体４３の放熱性が向上するので、加熱した金属端子６０を支持体４３へ差し込んで熱融着する際、及び速度変調コイル５２の巻線を金属端子４３へ半田付けする際の作業性が向上する。
【００６８】
但し、本実施の形態では、従来と異なり、支持体４３又は端子取付け板４２ｂの偏向ヨーク３０側の面に、開口５４に対向して遮蔽板５７が設けられている。遮蔽板５７は、開口５４内に露出された金属端子６０から、金属端子６０に最も近い偏向ヨーク３０側の露出された導電体（例えば、固定治具４１ａ及びボルト３９ｂ）を見通せないように配置されている。これにより、速度変調コイル５２と偏向ヨーク３０との間でスパークの発生を抑制しながら、速度変調コイル５２を偏向ヨーク３０により近づけることができるので、速度変調コイル５２による画像の輪郭強調効果を向上させることができる。
【００６９】
遮蔽板５７の支持体４３又は端子取付け板４２ｂへの取付け方法は特に限定はない。例えば、金型形状を工夫することにより遮蔽板５７と支持体４３又は端子取付け板４２ｂとを一体に成型しても良い。あるいは、別部材として樹脂成形された遮蔽板５７を支持体４３又は端子取付け板４２ｂに組み付けても良い。
【００７０】
遮蔽板５７の材料は、絶縁性を有していれば、樹脂に限定されない。
【００７１】
遮蔽板５７は、開口５４内に露出された金属端子６０、及び偏向ヨーク３０側の露出された導電体（例えば、固定治具４１ａ及びボルト３９ｂ）が、互いに相手方を見通すことができないような大きさを有していれば十分である。但し、支持体４３に差し込まれていない部分を含めて金属端子６０全体が遮蔽されていることが、スパークの発生抑制の観点からはより好ましい。
【産業上の利用可能性】
【００７２】
本発明の利用分野は特に限定されず、テレビ受像機やコンピュータディスプレイ等に広範囲に利用できる。
【図面の簡単な説明】
【００７３】
【図１】本発明の一実施形態に係るカラー陰極線管装置の概略構成を示す半断面図である。
【図２】（Ａ）は本発明の一実施形態に係る速度調整コイルの概略斜視図、（Ｂ）は速度変調コイルを構成するループコイルの展開図である。
【図３】（Ａ）は本発明の実施の形態１に係る樹脂枠及びこれに固定された金属端子の蛍光体スクリーン側から見た正面図、（Ｂ）は本発明の実施の形態１に係るＣＰＵ及び速度変調コイルの側面図、（Ｃ）は本発明の実施の形態１に係るＣＰＵ及び速度変調コイルのネック側から見た背面図である。
【図４】本発明の実施の形態１に係るカラー陰極線管装置のネック部に搭載されたＣＰＵ及び速度変調コイル周辺の拡大側面図である。
【図５】（Ａ）は従来の樹脂枠及びこれに固定された金属端子の蛍光体スクリーン側から見た正面図、（Ｂ）は従来のＣＰＵ及び速度変調コイルの側面図、（Ｃ）は従来のＣＰＵ及び速度変調コイルのネック側から見た背面図である。
【図６】カラーテレビ受像機において電源スイッチのＯＮ／ＯＦＦ時におけるスパーク発生回数についての実験結果を示した図である。
【図７】Ｌ字状金属端子を用いた、本発明の実施の形態１に係るＣＰＵ及び速度変調コイルの側面図である。
【図８】（Ａ）は本発明の実施の形態２に係る樹脂枠及びこれに固定された金属端子の蛍光体スクリーン側から見た正面図、（Ｂ）は本発明の実施の形態２に係るＣＰＵ及び速度変調コイルの側面図、（Ｃ）は本発明の実施の形態２に係るＣＰＵ及び速度変調コイルのネック側から見た背面図である。
【図９】本発明の実施の形態２に係るカラー陰極線管装置のネック部に搭載されたＣＰＵ及び速度変調コイル周辺の拡大側面図である。
【符号の説明】
【００７４】
１  カラー陰極線管装置
１０  カラー陰極線管
１１  フェースパネル
１２  ファンネル
１３  ネック部
１４  蛍光体スクリーン
１５  シャドウマスク
１６  電子銃
１８  電子ビーム
３０  偏向ヨーク
３２  水平偏向コイル
３４  垂直偏向コイル
３６  フェライトコア
３８  絶縁枠
３９ａ  固定治具
３９ｂ  ボルト
４０  ＣＰＵ
４１ａ  固定治具
４１ｂ  ボルト
４２  樹脂枠
４２ａ  円筒部
４２ｂ  端子取付け板
４３  支持体
４４  ピュリティー（色純化）磁石
４６  ４極磁石
４７  弾性リング
４８  ６極磁石
４９  ロックリング
５２  速度変調コイル
５２ａ，５２ｂ  ループコイル
５３ａ  直線部
５３ｂ  湾曲部
５４  開口
５７  遮蔽板
６０  金属端子
６２  Ｌ字状金属端子
Ｌ  直線距離
【図１】
2006324145.tif 000003
【図２】
2006324145.tif 000004
【図３】
2006324145.tif 000005
【図４】
2006324145.tif 000006
【図５】
2006324145.tif 000007
【図６】
2006324145.tif 000008
【図７】
2006324145.tif 000009
【図８】
2006324145.tif 000010
【図９】
2006324145.tif 000011